(57)【要約】【課題】コンパクト容器を開閉する際の衝撃や音の発生を抑制でき、かつ、衝撃によるプッシュピースの破損を防止できるコンパクト容器を提供する。【解決手段】容器本体２０と蓋体３０とがヒンジ部によって開閉自在に連結されたコンパクト容器１０において、蓋体３０と容器本体２０とのいずれか一方に係止部２３が設けられ、他方に係止部２３に係脱自在に係合する係合片３２が設けられ、係合片３２が係止部２３に係合することでこの容器の閉状態が保持される構成とされており、蓋体３０と容器本体１０とのいずれか一方には、係合片３２を係止部２３に係止した方向と反対方向に押圧して係合片３２を係止部２３から離脱させるプッシュピース２５が備えられ、プッシュピース２５は、操作部２５Ａと係合片３２を押圧する押圧部２５Ｂとを有し、押圧部２５Ｂがゴム状弾性体で構成されていることを特徴とする。【選択図】図４
2008054839.tif 000002
【特許請求の範囲】
【請求項１】
容器本体と蓋体とがヒンジ部によって開閉自在に連結されたコンパクト容器において、
前記蓋体と前記容器本体とのいずれか一方に係止部が設けられ、他方に前記係止部に係脱自在に係合する係合片が設けられ、該係合片が前記係止部に係合することでこの容器の閉状態が保持される構成とされており、
前記蓋体と前記容器本体とのいずれか一方には、前記係合片を前記係止部に係止した方向と反対方向に押圧して係合片を係止部から離脱させるプッシュピースが備えられ、
該プッシュピースは、操作部と前記係合片を押圧する押圧部とを有し、前記押圧部がゴム状弾性体で構成されていることを特徴とするコンパクト容器。
【請求項２】
請求項１に記載のコンパクト容器において、
前記操作部の少なくとも外表面が、ゴム状弾性体で構成されていることを特徴とするコンパクト容器。
【請求項３】
請求項１又は請求項２に記載のコンパクト容器において、
前記プッシュピースは、前記蓋体又は前記容器本体と一体成形されていることを特徴とするコンパクト容器。
【請求項４】
請求項１から請求項３のいずれかに記載のコンパクト容器において、
前記容器本体は、外装容器と、この外装容器内に着脱可能に収容される内容器とを有し、前記プッシュピースが前記内容器に設けられていることを特徴とするコンパクト容器。
【発明の詳細な説明】
【技術分野】
【０００１】
本発明は、例えば化粧料を収容して携帯するために利用されるコンパクト容器に関するものである。
【背景技術】
【０００２】
一般に、前述のコンパクト容器は、アイシャドーやアイライナー、ファンデーション等の化粧料をパフ等の塗布具とともに収容する容器本体と、この容器本体とヒンジ軸を介して揺動可能に連結された蓋体とを備えており、蓋体に係合片が設けられ、この係合片を容器本体に形成された係止部に係合させることで閉状態が保持される構成とされている。
そして、このコンパクト容器を開状態とする際には、蓋体や容器本体と同じく剛性を有する合成樹脂で構成されたプッシュピースをスライドさせて係合片と係止部との係合を解除することになる（例えば特許文献１）。
【特許文献１】実開昭６１−１６７１１０号公報
【発明の開示】
【発明が解決しようとする課題】
【０００３】
ところで、従来のコンパクト容器においては、プッシュピースが剛性を有する合成樹脂で構成されているので、コンパクト容器を開閉する際にプッシュピースと係合片とが衝突して衝撃や音が生じ、使用者に不快感を与えてしまう。さらに、コンパクト容器を落下させたりぶつけたりして大きな衝撃が加わった場合に、プッシュピースが破損してコンパクト容器の開動作ができなくなるおそれがあった。
【０００４】
さらに、従来のコンパクト容器においては、容器のデザイン上の観点からプッシュピースの操作面（指で押圧する面）にテーパが設けられていたりＲ形状が付与されていたりするものが多数存在しており、プッシュピースを操作する際に指が滑りやすく使い勝手が悪い。
【０００５】
本発明は、前述した事情に鑑みてなされたものであって、コンパクト容器を開閉する際の衝撃や音の発生を抑制でき、かつ、大きな衝撃によるプッシュピースの破損を防止できるコンパクト容器を提供することを第１の目的とする。さらに、コンパクト容器を開状態とするためにプッシュピースを操作する際の指の滑りを防止して確実に操作できるコンパクト容器を提供することを第２の目的とする。
【課題を解決するための手段】
【０００６】
この課題を解決するために、本発明のコンパクト容器は、容器本体と蓋体とがヒンジ部によって開閉自在に連結されたコンパクト容器において、前記蓋体と前記容器本体とのいずれか一方に係止部が設けられ、他方に前記係止部に係脱自在に係合する係合片が設けられ、該係合片が前記係止部に係合することでこの容器の閉状態が保持される構成とされており、前記蓋体と前記容器本体とのいずれか一方には、前記係合片を前記係止部に係止した方向と反対方向に押圧して係合片を係止部から離脱させるプッシュピースが備えられ、  該プッシュピースは、操作部と前記係合片を押圧する押圧部とを有し、前記押圧部がゴム状弾性体で構成されていることを特徴としている。
【０００７】
この構成のコンパクト容器によれば、係合片を押圧するプッシュピースの押圧部がゴム状弾性体によって構成されているので、係合片とプッシュピース（押圧部）との衝突による衝撃や音がゴム状弾性体によって吸収されて緩和される。
また、プッシュピースに大きな衝撃が加わってもこの衝撃を粘弾性変形によって吸収できるので、プッシュピースが破損することがない。
【０００８】
ここで、プッシュピースの指等で操作される前記操作部の外表面、いわゆる操作面を、ゴム状弾性体で構成してもよい。
この場合、前記操作部の外表面（操作面）が摩擦抵抗の大きなゴム状弾性体で構成されているので、この外表面（操作面）がテーパ状又はＲ形状とされていても指が滑ることがない。したがって、確実にプッシュピースを操作することができる。
【０００９】
また、前記プッシュピースを、前記蓋体又は前記容器本体と一体成形してもよい。
この場合、プッシュピースを蓋体又は容器本体に組み付ける工程が不要となり、このコンパクト容器を低コストで生産することができる。また、プッシュピースがゴム状弾性体で構成されているので、一体成形しても弾性変形により係合片を押圧することができ、プッシュピースとしての機能を確保することができる。
【００１０】
さらに、前記容器本体を、外装容器とこの外装容器内に着脱可能に収容される内容器とで構成し、前記プッシュピースを前記内容器に設けてもよい。この場合には、内容器を入れ替えるたびにプッシュピースも交換されるので、長期間安定して開動作を行うことができる。
【発明の効果】
【００１１】
本発明によれば、プッシュピースの押圧部がゴム状弾性体で構成されているのでプッシュピースと係合片との衝突時の音や衝撃が緩和され、使用者に不快感を与えることがない。さらに、コンパクト容器を落下させて強い衝撃が加わっても、プッシュピースが破損することがない。
また、プッシュピースの操作部の外表面をゴム状弾性体で構成することで、プッシュピースの操作時に指が滑ることがなく確実に操作することができる。
【発明を実施するための最良の形態】
【００１２】
以下に、本発明の第１の実施形態について添付した図面を参照して説明する。図１から図５に本発明の実施形態であるコンパクト容器を示す。
本実施形態であるコンパクト容器１０は、容器本体２０と、この容器本体２０に積み重なるように配置される蓋体３０とを有しており、これら容器本体２０と蓋体３０とが、コンパクト容器１０の一端側（図１〜図３において右側）に設けられたヒンジ部１１によって回動可能に連結されている。
【００１３】
容器本体２０は、図３に示すように、外装容器２１と、外装容器２１に着脱可能に収容される内容器２２とで構成されている。外装容器２１には、図１に示すように、化粧料が充填された中皿と化粧料を塗布する塗布具とをそれぞれ収容する内部空間Ａ，Ｂが形成されている。なお、本実施形態においては、外装容器２１は、例えばＡＢＳ、ＡＳ等のスチレン系合成樹脂やＰＥＴ等のポリエステル系合成樹脂で構成されている。
また、蓋体３０は、図１及び図２に示すように概略矩形平板状をなしており、閉状態において容器本体２０と対向する内面には、ミラー３１が配置されている。
【００１４】
そして、容器本体２０及び蓋体３０の他端側（図１〜図４において左側）には、これら容器本体２０と蓋体３０とを閉状態で保持するための係合部１２が設けられている。
係合部１２は、容器本体２０の外装容器２１から前記他端側に向けて突設された係止爪部２３と、蓋体３０の内側から前記一端側に向けて突設された係合片３２と、この係合片３２を係止爪部２３に係止した方向と反対方向に押圧して係合片３２を係止爪部２３から離脱させるプッシュピース２５とで構成されている。
【００１５】
係止爪部２３は、図４に示すように、外装容器２１の底面から立設された立壁部２４の上端近傍から前記他端側に向けて突設されており、底面と立壁部２４との付け根部分を支点として前記一端側に向けて弾性変形可能に構成されている。また、係止爪部２３は、前記他端側に向けて凸とされた凸曲面状に形成されている。
【００１６】
一方、係合片３２は、図４に示すように、蓋体３０の天板部から垂下される側壁部３３の下端部分から前記一端側に向けて延びて下方に向けて屈曲して、さらに前記一端側に突出するように構成されている。また、この係合片３２の前記一端側の端面は、前記一端側に向けて凸とされた凸曲面状に形成されている。
そして、係合片３２が係止爪部２３に係合したこのコンパクト容器１０の閉状態において、係合片３２の下端面と、外装容器２１の底面と、立壁部２４の前記他端側の表面とで囲まれた空間に、前記プッシュピース２５が設けられている。
【００１７】
プッシュピース２５は、図４及び図５に示すように、閉状態において蓋体３０の側壁部３３と連なるように配置される操作部２５Ａと、断面山形状をなす押圧部２５Ｂとで構成されている。この押圧部２５Ｂは、操作部２５Ａの下端から前記一端側に傾斜して上方に向けて延びる第１壁部２５Ｃと、この第１壁部２５Ｃの上端から前記一端側に向けて延びる当接面２５Ｄと、当接面２５Ｄの前記一端側の端部から前記一端側に傾斜して下方に向けて延びて外装容器２１の立壁部２４の付け根部分にまで達する第２壁部２５Ｅとを備えている。
そして、このプッシュピース２５は、粘弾性変形可能、かつ、摩擦抵抗の高い、例えばオレフィン系、スチレン系、ポリエステル系等の熱可塑性のエラストマによって構成されており、操作部２５Ａの外表面２５Ｆ、押圧部２５Ｂともに前記エラストマで構成されている。なお、本実施形態においては、プッシュピース２５は、容器本体２０の外装容器２１と別体に成形されている。
【００１８】
この構成のコンパクト容器１０は、蓋体３０をヒンジ部１１回りに回動させて容器本体２０に積み重ねるように配置することで閉じられ、図４に示すように、容器本体２０の係止爪部２３と蓋体３０の係合片３２とが互いに係合することで閉状態が保持される。
このコンパクト容器１０を開けるときには、プッシュピース２５の操作部２５Ａを前記一端側に向けて押圧する。すると、第１壁部２５Ｃが第２壁部２５Ｅに接近するように押圧部２５Ｂが弾性変形して、当接面２５Ｄが係合片３２の下端を上方に向けて押圧する。
これにより、凸曲面状をなす係止爪部２３の前記他端側の端面と凸曲面状をなす係合片３２の前記一端側の端面とが互いに摺接しつつ、係止爪部２３が前記一端側に向けて弾性変形して、係止爪部２３と係合片３２との係合が解除される。
【００１９】
本実施形態であるコンパクト容器１０によれば、コンパクト容器１０を閉じる際に係合片３２とプッシュピース２５の当接面２５Ｄとが衝突することになるが、プッシュピース２５（押圧部２５Ｂ）が弾性変形可能なエラストマによって構成されているので、この衝突による衝撃や音が吸収される。
また、コンパクト容器１０を落下させたりぶつけたりして、プッシュピース２５に大きな衝撃が加わっても、この衝撃を粘弾性変形によって吸収できるので、プッシュピース２５が破損することがない。
【００２０】
さらに、プッシュピース２５（操作部２５Ａの外表面２５Ｆ）が摩擦抵抗の高いエラストマで構成されているので、指で押圧する際に指が滑ることがなく、確実にプッシュピース２５を操作することができる。これにより、プッシュピース２５の形状を意匠性を優先して設計することができる。
【００２１】
また、プッシュピース２５を容器本体２０の外装容器２１と一体成形した場合には、プッシュピース２５を容器本体２０に組み付ける工程が不要となり、このコンパクト容器１０を低コストで生産することができる。また、コンパクト容器１０に大きな衝撃が加わってもプッシュピース２５が外れることがない。
さらに、プッシュピース２５が例えばオレフィン系、スチレン系、ポリエステル系等の熱可塑性のエラストマで構成されているので、外装容器２１と一体成形しても弾性変形により係合片３２を押圧することができる。
【００２２】
次に、本発明の第２の実施形態であるコンパクト容器１０について説明する。なお、第１の実施形態と同一の構成要素には同一の符号を付して詳細な説明を省略する。
この第２の実施形態においては、前記プッシュピース２５及び係止爪部２３が、容器本体２０の内容器２２に形成されている。
【００２３】
詳述すると、図６に示すように、内容器２２は、外装容器２１との間に枠体２２Ａを有しており、この枠体２２Ａの上端から他端側（図５において左側）に向けて延びるように係止爪部２３が形成されている。また、この枠体２２Ａの他方側の側面に前記プッシュピース２５が一体成形されている。
【００２４】
この構成のコンパクト容器１０によれば、内容器２２を入れ替えるたびにプッシュピース２５も交換されることになり、プッシュピース２５が経時劣化して操作しにくくなることを防止でき、長期間安定して開動作を行うことができる。
【００２５】
以上、本発明の実施形態であるコンパクト容器について説明したが、本発明の技術的範囲はこれに限定されることはなく、本発明の技術的思想を逸脱しない範囲で適宜変更可能である。
例えば、本実施形態においては、容器本体にプッシュピースが設けられたものとして説明したが、これに限定されることはなく、蓋体にプッシュピースが設けられていてもよい。
【００２６】
また、プッシュピースを例えばオレフィン系、スチレン系、ポリエステル系等の熱可塑性のエラストマで構成されたものとして説明したが、これに限定されることはなく、ゴム状弾性体で構成されていて係合片を押圧できるように弾性変形するものであればよい。
さらに、プッシュピースの押圧部、操作部の外表面のみをゴム状弾性体で構成してもよし、プッシュピース全体をゴム状弾性体で構成してもよい。
【００２７】
また、係合片の下端部分に一方側へ向かうにしたがい上方に向かうような傾斜面を設け、この傾斜面と係止爪部との間に押圧部が入り込んで、係合片を他端側及び上方へ向けて押圧するように構成してもよい。この場合、プッシュピースの操作によって係合片と係止爪部との係合を容易に解除しやすくなるので好ましい。
【産業上の利用可能性】
【００２８】
コンパクト容器を開状態とするためにプッシュピースを操作する際の指の滑りを防止して確実に操作できるとともに、コンパクト容器開閉時の衝撃や音の発生を抑制でき、かつ、衝撃によるプッシュピースの破損を防止できるコンパクト容器を提供する。
【図面の簡単な説明】
【００２９】
【図１】本発明の第１の実施形態であるコンパクト容器の平面図である。
【図２】図１に示すコンパクト容器の側面図である。
【図３】図１におけるＸ−Ｘ断面図である。
【図４】図１に示すコンパクト容器の部分拡大断面図である。
【図５】図１に示すコンパクト容器に備えられたプッシュピースの斜視図である。
【図６】本発明の第２の実施形態であるコンパクト容器の部分拡大断面図である。
【符号の説明】
【００３０】
１０  コンパクト容器
１１  ヒンジ部
２０  容器本体
２１  外装容器
２２  内容器
２３  係止爪部（係止部）
２５  プッシュピース
３０  蓋体
３２  係合片
【図１】
2008054839.tif 000003
【図２】
2008054839.tif 000004
【図３】
2008054839.tif 000005
【図４】
2008054839.tif 000006
【図５】
2008054839.tif 000007
【図６】
2008054839.tif 000008